(57)【要約】【課題】より簡単な制御や機構で、血液からの除水量を高精度に制御する。【解決手段】血液透析装置１は、透析器１０と、内部を第１の室５０と第２の室５１に隔てる変位可能な隔壁５２を有する定量容器１３と、透析液を貯留する貯留容器１４と、第１の室５０に透析液を供給するとともに、そのときの隔壁５２の第２の室５１側への変位により第２の室５１の透析廃液を外部に排出する透析液交換回路１５と、隔壁５２の第１の室５０側への変位により、第１の室５０の透析液を透析器１０に供給するとともに透析器１０から第２の室５１に透析廃液を排出する透析液供給回路１６と、隔壁５２の第１の室５０側への変位により、第１の室５０の透析液を貯留容器１４に供給する透析液貯留回路１７と、を有している。
2011049196.tif 000002
【特許請求の範囲】
【請求項１】
透析器と、
内部を第１の室と第２の室に隔てる変位可能な隔壁を有する容器と、
透析液を貯留する貯留容器と、
前記第１の室に透析液を供給するとともに、そのときの隔壁の前記第２の室側への変位により前記第２の室の透析廃液を外部に排出する透析液交換回路と、
前記隔壁の第１の室側への変位により、前記第１の室の透析液を前記透析器に供給するとともに前記透析器から前記第２の室に透析廃液を排出する透析液供給回路と、
前記隔壁の第１の室側への変位により、前記第１の室の透析液を前記貯留容器に供給する透析液貯留回路と、を有する、血液透析装置。
【請求項２】
前記容器は、前記隔壁が前記第２の室側に変位したときに前記隔壁に前記第１の室側への復元力を与える復元力付与装置を有する、請求項１に記載の血液透析装置。    
【請求項３】
前記貯留容器は、内部を２つの貯留室に隔て変位可能な隔壁を有し、
前記透析液貯留回路は、前記第１の室の前記透析液を前記貯留容器の各貯留室に選択的に供給可能で、なおかつ前記各貯留室の前記透析液を選択的に排出可能に構成されている、請求項１又は２に記載の血液透析装置。
【請求項４】
前記透析液貯留回路は、前記各貯留室の透析液を前記透析液交換回路に排出可能に構成されている、請求項３に記載の血液透析装置。
【請求項５】
前記透析液交換回路を通じて前記容器の第１の室に前記透析液を供給して、前記容器の隔壁を前記第２の室側に変位させるとともに、前記透析液交換回路を通じて前記容器の第２の室の前記透析廃液を排出する第１の工程と、血液が前記透析器に供給されている状態で、前記容器の隔壁を前記第１の室側に変位させて、前記第１の室の透析液を前記透析液貯留回路を通じて前記貯留容器に供給するとともに、前記隔壁の前記第１の室側への変位により生じた前記第２の室の陰圧により、前記透析液供給回路を通じて前記透析器から前記第２の室に血液の水分を排出する第２の工程と、前記隔壁の前記第１の室側への変位により、前記第１の室の透析液を前記透析液供給回路を通じて前記透析器に供給するとともに、前記透析器から前記第２の室に透析廃液を排出する第３の工程と、を実行する制御装置を、さらに有し、
前記制御装置は、前記第２の工程及び第３の工程の少なくともいずれかと、前記第１の工程とを交互に実行する、請求項１〜４のいずれかに記載の血液透析装置。
【請求項６】
前記容器と、前記貯留容器と、前記透析液交換回路の少なくとも一部と、前記透析液供給回路の少なくとも一部と、前記透析液貯留回路の少なくとも一部が、この血液透析装置に対して着脱自在に構成されたカセット部に形成されている、請求項１〜５のいずれかに記載の血液透析装置。
【請求項７】
生体の血液を前記透析器に供給する脱血側回路と、
前記透析器の血液を生体に戻す返血側回路と、をさらに有し、
前記脱血側回路の少なくとも一部と、前記返血側回路の少なくとも一部が、この血液透析装置に対して着脱自在に構成されたカセット部に形成されている、請求項１〜６のいずれかに記載の血液透析装置。
【請求項８】
前記容器と前記貯留容器に液体を給排するためのバルブのうち、液体に接触する部分が前記カセット部に形成され、液体に接触しない部分が血液透析装置の本体部に形成されている、請求項６又は７に記載の血液透析装置。
【請求項９】
血液透析装置の作動方法であって、
前記血液透析装置は、
透析器と、
内部を第１の室と第２の室に隔てる変位可能な隔壁を有する容器と、
透析液を貯留する貯留容器と、
前記第１の室に透析液を供給するとともに、そのときの隔壁の前記第２の室側への変位により前記第２の室の透析廃液を外部に排出する透析液交換回路と、
前記隔壁の第１の室側への変位により、前記第１の室の透析液を前記透析器に供給するとともに前記透析器から前記第２の室に透析廃液を排出する透析液供給回路と、
前記隔壁の第１の室側への変位により、前記第１の室の透析液を前記貯留容器に供給する透析液貯留回路と、を有するものであり、
前記透析液交換回路を通じて前記容器の第１の室に前記透析液を供給して、前記容器の隔壁を前記第２の室側に変位させるとともに、前記透析液交換回路を通じて前記容器の第２の室の前記透析廃液を排出する第１の工程と、血液が前記透析器に供給されている状態で、前記容器の隔壁を前記第１の室側に変位させて、前記第１の室の透析液を前記透析液貯留回路を通じて前記貯留容器に供給するとともに、前記隔壁の前記第１の室側への変位により生じた前記第２の室の陰圧により、前記透析液供給回路を通じて前記透析器から前記第２の室に血液の水分を排出する第２の工程と、前記隔壁の前記第１の室側への変位により、前記第１の室の透析液を前記透析液供給回路を通じて前記透析器に供給するとともに、前記透析液供給回路を通じて前記透析器から前記第２の室に透析廃液を排出する第３の工程と、を実行する制御装置を作動させ、
前記制御装置は、前記第２の工程及び前記第３の工程の少なくともいずれかと、前記第１の工程とを交互に実行する、血液透析装置の作動方法。
【請求項１０】
血液から水分を除去するための水分除去システムであって、
血液が通過するとともに当該血液から水分を分離する分離器と、
内部を第１の室と第２の室に隔て変位可能な隔壁を有する容器と、
所定の液体を貯留する貯留容器と、
前記容器の第１の室に前記液体を供給する第１の回路と、
前記容器の第２の室の前記水分を排出する第２の回路と、
前記容器の第１の室の前記液体を前記貯留容器に供給する第３の回路と、
前記水分を前記分離器から前記第２の室に排出する第４の回路と、を有し、
前記容器は、前記隔壁を前記第１の室側に変位させて、当該第１の室から前記液体を押し出し前記第３の回路を通じて前記貯留容器に貯留でき、前記隔壁の前記第１の室側への変位により生じる前記第２の室の陰圧により、前記第４の回路を通じて前記分離器から前記第２の室に前記水分を排出できるように構成されている、水分除去システム。
【発明の詳細な説明】
【技術分野】
【０００１】
本発明は、血液を透析する血液透析装置、血液透析装置の作動方法、及び血液から水分を除去するための水分除去システムに関する。
【背景技術】
【０００２】
例えば血液透析装置は、透析器に対し透析液を供給し排出する透析回路を有している。この透析回路には、透析器に供給するための定量の透析液を収容し、なおかつ透析液から排出された定量の透析廃液を収容する定量容器が設けられている。透析回路では、透析器の透析膜の一次側に血液を流した状態で、定量容器から透析器の透析膜の二次側に透析液を供給しつつ、透析器の二次側から定量容器に透析液を排出することによって、透析器に透析液を通過させ、血液中の老廃物を透析液に取り込んで患者の血液を透析処理している（特許文献１参照）。【０００３】
また、患者の体内の余分な水分を除去するため、上記透析処理において除水処理が行われている。この除水処理を行うため、通常透析回路の透析器より下流側の廃液ラインに、血液から水分を除去するための除水ラインが接続されている。除水ラインには、例えばポンプが設けられ、当該ポンプを稼働させることにより、透析器の血液から水分を吸引して除去している（特許文献１参照）。また、血液から水分を除去する他の手段として、廃液ラインに定圧弁が設けられ、当該定圧弁により廃液ラインと除水ラインとの分岐点を陽圧に保って、透析液の血液の水分を除水ラインを通じて除去することが提案されている（特許文献２参照）。
【先行技術文献】
【特許文献】
【０００４】
【特許文献１】特開平５−１４６５０６号公報
【特許文献２】特開２０００−１２６２８４号公報
【発明の概要】
【発明が解決しようとする課題】
【０００５】
ところで、患者の体内の水分量を厳格に管理するために、例えば除水ラインから排出される除水量を厳格に制御する必要がある。このため、上記特許文献１の除水ラインのポンプには、定量ポンプが用いられ、その制御が厳格に行われている。この結果、血液透析装置の制御等が複雑になり、例えば血液透析装置が高価になっている。また、上記特許文献２の透析回路の定圧弁では、この定圧弁等の制御により制御が複雑になるばかりでなく、廃液ラインと除水ラインとの分岐点が透析器の下流側であるため、分岐点の陽圧が十分に確保できない可能性があり、除水量を高精度に制御できないことも考えられる。【０００６】
本発明は、かかる点に鑑みてなされたものであり、より簡単な制御や機構で、血液からの除水量を高精度に制御可能な血液透析装置、血液透析装置の作動方法、水分除去システムを提供することをその目的とする。
【課題を解決するための手段】
【０００７】
上記目的を達成するための本発明は、透析器と、内部を第１の室と第２の室に隔てる変位可能な隔壁を有する容器と、透析液を貯留する貯留容器と、前記第１の室に透析液を供給するとともに、そのときの隔壁の前記第２の室側への変位により前記第２の室の透析廃液を外部に排出する透析液交換回路と、前記隔壁の第１の室側への変位により、前記第１の室の透析液を前記透析器に供給するとともに前記透析器から前記第２の室に透析廃液を排出する透析液供給回路と、前記隔壁の第１の室側への変位により、前記第１の室の透析液を前記貯留容器に供給する透析液貯留回路と、を有する血液透析装置である。
なお、隔壁の「変位」には、隔壁全体が移動するもののみならず、隔壁自体が変形して変位するものも含まれる。【０００８】
本発明によれば、容器の隔壁の変位により、第１の室の透析液の一部を貯留容器に供給することができるので、そのとき生じる第２の室の陰圧により、その透析液の量に応じた分の血液の水分を第２の室に排出することができる。よって、より簡単な制御及び機構で血液からの除水量を高精度に制御できる。【０００９】
前記容器は、前記隔壁が前記第２の室側に変位したときに前記隔壁に前記第１の室側への復元力を与える復元力付装置を有していてもよい。かかる場合、容器の隔壁の変位を復元力により行うことができるので、例えば給電の必要な駆動源が必要なく、装置構成や制御を簡略化できる。【００１０】
前記貯留容器は、内部を２つの貯留室に隔て変位可能な隔壁を有し、前記透析液貯留回路は、前記第１の室の前記透析液を前記貯留容器の各貯留室に選択的に供給可能で、なおかつ前記各貯留室の前記透析液を選択的に排出可能に構成されていてもよい。かかる場合、貯留容器の２つの貯留室に交互に透析液を供給し、一方の貯留室に透析液を供給するときに他方の貯留室の透析液を排出できるので、貯留容器への透析液の供給を連続的に行うことができる。よって、血液からの除水を連続的に行うことができ、除水を効率的に行うことができる。【００１１】
前記透析液貯留回路は、前記各貯留室の透析液を前記透析液交換回路に排出可能に構成されていてもよい。かかる場合、貯留容器の透析液を排出するための回路を簡略化できる。【００１２】
以上の血液透析装置は、前記透析液交換回路を通じて前記容器の第１の室に前記透析液を供給して、前記容器の隔壁を前記第２の室側に変位させるとともに、前記透析液交換回路を通じて前記容器の第２の室の前記透析廃液を排出する第１の工程と、血液が前記透析器に供給されている状態で、前記容器の隔壁を前記第１の室側に変位させて、前記第１の室の透析液を前記透析液貯留回路を通じて前記貯留容器に供給するとともに、前記隔壁の前記第１の室側への変位により生じた前記第２の室の陰圧により、前記透析液供給回路を通じて前記透析器から前記第２の室に血液の水分を排出する第２の工程と、前記隔壁の前記第１の室側への変位により、前記第１の室の透析液を前記透析液供給回路を通じて前記透析器に供給するとともに、前記透析器から前記第２の室に透析廃液を排出する第３の工程と、を実行する制御装置を、さらに有し、前記制御装置は、前記第２の工程及び第３の工程の少なくともいずれかと、前記第１の工程とを交互に実行する。なお、前記第２の工程と第３の工程は、いずれか一方のみの実行でもよいし、あるいは第２の工程と第３の工程を間欠的、連続的、または同時に実行してもよい。また、その順序は第３の工程を先に実行してもよい。【００１３】
また、以上の血液透析装置は、前記容器と、前記貯留容器と、前記透析液交換回路の少なくとも一部と、前記透析液供給回路の少なくとも一部と、前記透析液貯留回路の少なくとも一部が、この血液透析装置に対して着脱自在に構成されたカセット部に形成されていてもよい。かかる場合、前記容器、前記貯留容器等が形成されたカセット部を装置から取り外し、カセット部毎に新しいものに取り換えて、血液透析装置のメンテナンスを行うことができる。この結果、専門的な知識や技術、経験をもたない者であっても、メンテナンスを容易に行うことができ、またメンテナンスの質も確保される。よって、患者の自宅や過疎地域などでも血液透析装置を用いた継続的な血液透析処理を行うことができ、例えば患者のＱＯＬ（Ｑｕａｌｉｔｙ  ｏｆ  Ｌｉｆｅ）を向上できる。【００１４】
以上の血液透析装置は、生体の血液を前記透析器に供給する脱血側回路と、前記透析器の血液を生体に戻す返血側回路と、をさらに有し、前記脱血側回路の少なくとも一部と、前記返血側回路の少なくとも一部が、この血液透析装置に対して着脱自在に構成されたカセット部に形成されていてもよい。【００１５】
さらに、前記容器と前記貯留容器に液体を給排するためのバルブのうち、液体に接触する部分が前記カセット部に形成され、液体に接触しない部分が血液透析装置の本体部に形成されていてもよい。かかる場合、カセット部を交換した際に、液体に接触せずに例えば汚れや劣化が進みにくい部分を装置の本体部に残し、液体に接触し例えば汚れや劣化が進みやすい部分を交換できる。よって、メンテナンスの必要性が高い部分のみを交換することができ、血液透析装置の維持にかかるコストを低減できる。【００１６】
別の観点による本発明は、血液透析装置の作動方法であって、前記血液透析装置は、透析器と、内部を第１の室と第２の室に隔てる変位可能な隔壁を有する容器と、透析液を貯留する貯留容器と、前記第１の室に透析液を供給するとともに、そのときの隔壁の前記第２の室側への変位により前記第２の室の透析廃液を外部に排出する透析液交換回路と、前記隔壁の第１の室側への変位により、前記第１の室の透析液を前記透析器に供給するとともに前記透析器から前記第２の室に透析廃液を排出する透析液供給回路と、前記隔壁の第１の室側への変位により、前記第１の室の透析液を前記貯留容器に供給する透析液貯留回路と、を有するものであり、前記透析液交換回路を通じて前記容器の第１の室に前記透析液を供給して、前記容器の隔壁を前記第２の室側に変位させるとともに、前記透析液交換回路を通じて前記容器の第２の室の前記透析廃液を排出する第１の工程と、血液が前記透析器に供給されている状態で、前記容器の隔壁を前記第１の室側に変位させて、前記第１の室の透析液を前記透析液貯留回路を通じて前記貯留容器に供給するとともに、前記隔壁の前記第１の室側への変位により生じた前記第２の室の陰圧により、前記透析液供給回路を通じて前記透析器から前記第２の室に血液の水分を排出する第２の工程と、前記隔壁の前記第１の室側への変位により、前記第１の室の透析液を前記透析液供給回路を通じて前記透析器に供給するとともに、前記透析液供給回路を通じて前記透析器から前記第２の室に透析廃液を排出する第３の工程と、を実行する制御装置を作動させ、前記制御装置は、前記第２の工程及び前記第３の工程の少なくともいずれかと、前記第１の工程とを交互に実行する。なお、前記第２の工程と第３の工程は、いずれか一方のみの実行でもよいし、あるいは第２の工程と第３の工程を間欠的、連続的、または同時に実行してもよい。また、その順序は第３の工程を先に実行してもよい。【００１７】
また、別の観点による本発明は、血液から水分を除去するための水分除去システムであって、血液が通過するとともに当該血液から水分を分離する分離器と、内部を第１の室と第２の室に隔て変位可能な隔壁を有する容器と、所定の液体を貯留する貯留容器と、前記容器の第１の室に前記液体を供給する第１の回路と、前記容器の第２の室の前記水分を排出する第２の回路と、前記容器の第１の室の前記液体を前記貯留容器に供給する第３の回路と、前記水分を前記分離器から前記第２の室に排出する第４の回路と、を有し、前記容器は、前記隔壁を前記第１の室側に変位させて、当該第１の室から前記液体を押し出し前記第３の回路を通じて前記貯留容器に貯留でき、前記隔壁の前記第１の室側への変位により生じる前記第２の室の陰圧により、前記第４の回路を通じて前記分離器から前記第２の室に前記水分を排出できるように構成されている。【００１８】
本発明によれば、容器の隔壁の変位により、第１の室の所定の液体を貯留容器に供給し、そのとき生じる第２の室の陰圧により、その液体の量に応じた分の血液の水分を分離器から分離させて第２の室に流入させることができる。よって、より簡単な制御及び機構で血液からの除水量を高精度に制御できる。
【発明の効果】
【００１９】
本発明によれば、簡単な制御及び機構で、血液からの除水量を高精度に制御できるので、例えば安価な血液透析装置や水分除去システムを実現できる。また、装置の小型化や消費電力の低減も図ることができる。さらに、除水のためのポンプが不要であるため、かかるポンプに関するメンテナンスを無くすことができる。また、ポンプに関するトラブルも低減できる。また、少なくともポンプに関する構成部品が減るので、故障リスクが少なくなり、騒音も少なくなる。
【図面の簡単な説明】
【００２０】
【図１】血液透析装置の構成の概略を示す模式図である。
【図２】第１の工程の血液透析装置の状態を示す説明図である。
【図３】第２の工程の血液透析装置の状態を示す説明図である。
【図４】第３の工程の血液透析装置の状態を示す説明図である。
【図５】次の第１の工程の血液透析装置の状態を示す説明図である。
【図６】次の第２の工程の血液透析装置の状態を示す説明図である。
【図７】次の第３の工程の血液透析装置の状態を示す説明図である。
【図８】第２の工程と第３の工程を一部同時に行う場合の血液透析装置の状態を示す説明図である。
【図９】第１の工程の水分除去システムの状態を示す説明図である。
【図１０】第２の工程の水分除去システムの状態を示す説明図である。
【図１１】次の第１の工程の水分除去システムの状態を示す説明図である。
【図１２】次の第２の工程の水分除去システムの状態を示す説明図である。
【図１３】血液透析装置の構成の概略を示す正面側の斜視図である。
【図１４】血液透析装置の構成の概略を示す背面側の斜視図である。
【図１５】血液透析装置のカセット部の構成を示す説明図である。
【図１６】（Ａ）は、開放時の開閉弁の構成の一例を示す説明図であり、（Ｂ）は、閉鎖時の開閉弁の構成の一例を示す説明図である。
【発明を実施するための形態】
【００２１】
以下、図面を参照して、本発明の好ましい実施の形態について説明する。図１は、本実施の形態に係る血液透析装置１の構成の概略を示す説明図である。
【００２２】
血液透析装置１は、例えば透析器１０と、脱血側回路１１と、返血側回路１２と、定量容器１３と、貯留容器１４と、透析液交換回路１５と、透析液供給回路１６と、透析液貯留回路１７及び制御装置１８を有している。
【００２３】
透析器１０は、例えば中空糸膜を内蔵した中空糸モジュールであり、一次側１０ａに患者の血液を通過させつつ、二次側１０ｂに透析液を通過させ、一次側１０ａの血液の不要成分である老廃物を膜を通じて二次側１０ｂに透過させて血液を透析することができる。また、透析器１０は、一次側１０ａの血液から膜を通じて二次側１０ｂに血液の水分を分離することができる。なお、当該水分には、少なくとも血液中の水を含むものであり、その他、膜を通過する血液中のイオン等の微小物質、老廃物などが含まれていてもよい。
【００２４】
脱血側回路１１は、例えば患者に穿刺される針部３０から透析器１０の一次側１０ａの入口端１０ｃに接続されている。返血側回路１２は、透析器１０の一次側１０ａの出口端１０ｄから他の針部３１に接続されている。脱血側回路１１には、ポンプ３２が設けられている。
【００２５】
定量容器１３は、例えば円筒状に形成され、例えば一定容積の内部を軸方向に第１の室５０と第２の室５１に隔てる変位可能な隔壁５２と、当該隔壁５２の変位を許容しつつ当該隔壁５２に第１の室５０側への復元力を与える復元力付与装置としてのばね５３を有している。よって、定量容器１３は、自己復帰型の隔壁５２を有している。
【００２６】
隔壁５２は、例えば軸方向に移動するピストン状に形成されている。隔壁５２が第１の室５０側に移動し第１の室５０の容積が減少すると、その分第２の室５１の容積が増加する。隔壁５２が第２の室５１側に移動し第２の室５１の容積が減少すると、その分第１の室５０の容積が増加する。ばね５３は、例えば隔壁５２の第２の室５１側に設けられ、第２の室５１の底面と隔壁５２の下面に接続されており、隔壁５２が第２の室５１側に移動すると、第１の室５０側への復元力が生じる。
なお、図に示すような、容器１３、透析液交換回路１５及び透析液供給回路１６からなる系が一つの場合、透析器１０への透析液の供給は間歇的になる。それを防ぐために、同一の系を二つ設置し、それらを透析器１０に対し並列的に接続させてもよい。この二つの系において、一の系の容器１３と他の系の容器１３’において、新しい透析液の容器１３への補充及び容器１３からの透析廃液の排出と、容器１３’から透析器１０への新しい透析液の供給及び透析器１０から容器１３’への透析廃液の供給が、交互に行われるようにバルブ類の制御を行うことにより、血液透析を間を空けずに連続して行うことができるので、例えば透析時間を短縮することができ、透析の患者への負担を低減できる。
【００２７】
貯留容器１４は、一定容積の内部を第１の貯留室１４ａと第２の貯留室１４ｂに隔てる変位可能な隔壁６０を有しており、各貯留室１４ａ、１４ｂに所定の液体としての透析液を貯留できる。隔壁６０は、例えばゴム製のダイアフラムなどにより構成されている。第１の貯留室１４ａと第２の貯留室１４ｂは、内圧により隔壁６０が変位して容積が変動し、一方の室の容積が大きくなるとその分他方の室の容積が小さくなる。隔壁６０は、貯留容器１４の内部の中央に設けられ、隔壁６０が最大限第１の貯留室１４ａ側に移動した際の第２の貯留室１４ｂの最大容積と、隔壁６０が最大限第２の貯留室１４ｂ側に移動した際の第１の貯留室１４ａの最大容積とが同じになっている。また、第１の貯留室１４ａと第２の貯留室１４ｂの最大容積は、定量容器１３の第１の室５０の最大容積よりも小さくなっている。
【００２８】
透析液交換回路１５は、例えば透析液供給源７０から定量容器１３の第１の室５０に通じる第１の回路７１と、定量容器１３の第２の室５１から装置の外部に通じる第２の回路７２を有している。第１の回路７１には、透析液供給源７０の透析液を第１の室５０に圧送するポンプ７３と、当該回路７１を開閉する開閉弁７４が設けられている。第２の回路７２には、当該回路７２を開閉する開閉弁７５が設けられている。
【００２９】
透析液供給回路１６は、例えば定量容器１３の第１の室５０から透析器１０の二次側１０ｂに通じる第３の回路８０と、透析器１０の二次側１０ｂから定量容器１３の第２の室５１に通じる第４の回路８１を有している。第３の回路８０と第４の回路８１には、それぞれ開閉弁８２、８３が設けられている。
【００３０】
透析液貯留回路１７は、例えば定量容器１３の第１の室５０と貯留容器１４の各貯留室１４ａ、１４ｂに通じる第５の回路９０と、貯留容器１４の各貯留室１４ａ、１４ｂと第２の回路７２に通じる第６の回路９１を有している。
【００３１】
第５の回路９０には、貯留室１４ａ、１４ｂに通じる分岐路９０ａ、９０ｂが形成されており、分岐路９０ａ、９０ｂには、定量容器１３の第１の室５０から２つの貯留室１４ａ、１４ｂに選択的に透析液を供給可能にする切り替え装置としての開閉弁１００、１０１が設けられている。
【００３２】
第６の回路９１には、貯留室１４ａ、１４ｂに通じる分岐路９１ａ、９１ｂが形成されており、分岐路９１ａ、９１ｂには、２つの貯留室１４ａ、１４ｂから選択的に透析液を排出可能にする切り替え装置としての開閉弁１１０、１１１が設けられている。
【００３３】
なお、本実施の形態では、第３の回路８０と第５の回路９０の上流部が共通の回路であり、途中で分岐している。
【００３４】
制御装置１８は、例えば上記透析液供給源７０、ポンプ３２、７３、開閉弁７４、７５、８２、８３、１００、１０１、１１０、１１１などの動作を制御している。制御装置１８は、例えばコンピュータであり、メモリに記憶された所定のプログラムを実行することによって、後述する血液透析装置１の作動方法を実行できる。
【００３５】
次に、以上のように構成された血液透析装置１の作動方法について説明する。血液透析処理時には、針部３０、３１が患者に穿刺され、患者の血液が脱血側回路１１を通じて透析器１０に供給される。血液は、透析器１０の一次側１０ａを通り、その後返血側回路１２を通って患者に戻される。
【００３６】
一方、透析液の供給側では、例えば図２に示すように開閉弁１００、１０１、１１０、１１１、８２、８３が閉鎖され、開閉弁７４、７５が開放され、ポンプ７３により透析液供給源７０の新しい透析液が定量容器１３の第１の室５０内に供給される。これにより、第１の室５０に新しい透析液が充填され、ばね５３の復元力に抗して隔壁５２が第２の室５１側に押されて、第１の室５０の容積が増加する。これに伴い第２の室５１の容積が減少し、既に第２の室５１内に充填されていた透析廃液（透析器１０通過後の透析液）が隔壁５２により押し出され、第２の回路７２を通じて外部に排出される（第１の工程）。なお、このとき、貯留容器１４の例えば第１の貯留室１４ａには、予め透析液が充填されている。
【００３７】
次に、例えば図３に示すように開閉弁７４、７５が閉鎖され、開閉弁１０１、１１０、８３が開放され、定量容器１３のばね５３の復元力により隔壁５２が第１の室５０側に移動する。これにより、第１の室５０内の定量の透析液が押し出され、当該透析液が第５の回路９０を通じて貯留容器１４の第２の貯留室１４ｂに供給される（第１の場合）。また、開閉弁７４が閉鎖されているため、隔壁５２の移動により、第２の室５１が減圧し陰圧になり、当該陰圧によって透析器１０の一次側１０ａの血液中の水分が二次側１０ｂに流入し、当該水分が第４の回路８１を通じて第２の室５１に排出される。これにより、血液から所定量の水分が除去される（第２の工程）。このときの除水量は、定量容器１３の隔壁５２が移動して第２の室５１で増大した容積分の量であり、これは、第１の室５０で減少した容積分の量、つまり貯留容器１４の第２の貯留室１４ｂに供給された透析液の量（第２の貯留室１４ｂの最大容積分の量）と同じになる。
【００３８】
貯留容器１４では、第２の貯留室１４ｂに透析液が供給されると、隔壁６０が第１の貯留室１４ａ側に移動し、それによって押し出された透析液が、第６の回路９１及び第２の回路７２を通じて外部に排出される。なお、押し出された透析液が流れる回路９１が、血液回路側の流路１１もしくは１２に接続される構成を取ると、貯留容器１４から出た透析液が患者への補充液として働くこととなる。この場合、貯留容器１４から出る透析液量と除水される量とが一致するため、補充液量と除水される液量とが平衡することが保証される（On-line HDF）。
【００３９】
透析液により第２の貯留室１４ｂが満たされるとともに、第２の室５１に血液の水分が流入すると、次に図４に示すように開閉弁１０１、１１０が閉鎖され、開閉弁８２が開放される。定量容器１３の隔壁５２がばね５３の復元力によりさらに第１の室５０側に移動すると、第１の室５０の残りの透析液が第３の回路８０を通じて透析器１０の二次側１０ｂに供給される。透析器１０の二次側１０ｂにおいて、透析液には、一次側１０ａの患者の血液から膜を通過した老廃物が取り込まれる。その後、透析器１０を通過した透析廃液は、第４の回路８１を通じて定量容器１３の第２の室５１に流入する（第３の工程）。この際、隔壁５２が移動して、第１の室５０の容積が減少した分、第２の室５１の容積が増大するので、このとき、第１の室５０から透析器１０側に押し出された透析液と、第２の室５１に入り込む透析廃液の量が一致する。
【００４０】
次に、図５に示すように再び開閉弁８２、８３が閉鎖され、開閉弁７４、７５が開放され、ポンプ７３により透析液供給源７０の新しい透析液が定量容器１３の第１の室５０内に供給され、ばね５３の復元力に抗して隔壁５２が第２の室５１側に押されて、第１の回路７１を通じて第１の室５０内に透析液が充填されるとともに、第２の室５１内の血中の水分や透析廃液が第２の回路７２を通じて排出される（第１の工程）。
【００４１】
その後、例えば図６に示すように開閉弁７４、７５が閉鎖され、開閉弁１００、１１１、８３が開放され、ばね５３の復元力により隔壁５２が第１の室５０側に移動する。これにより、第１の室５０内の定量の透析液が押し出され、当該透析液が第５の回路９０を通じて貯留容器１４の第１の貯留室１４ａに供給される（第２の場合）。また、隔壁５２の移動により、第２の室５１が陰圧になり、当該陰圧によって透析器１０の一次側１０ａの血液中の水分が二次側１０ｂに流入し、当該水分が第４の回路８１を通じて第２の室５１に排出される（第２の工程）。これにより、血液から所定量の水分が除去される。このときの除水量は、定量容器１３の隔壁５２が移動して第２の室５１で増大した容積分の量であり、これは、第１の室５０で減少した容積分の量、つまり貯留容器１４の第１の貯留室１４ａに供給された透析液の量（第１の貯留室１４ａの最大容積分の量）と同じになる。
【００４２】
透析液により第１の貯留室１４ａが満たされるとともに、第２の室５１に水分が流入すると、図７に示すように開閉弁１００、１１１が閉鎖され、開閉弁８２が開放される。定量容器１３の隔壁５２がばね５３の復元力によりさらに第１の室５０側に移動すると、第１の室５０の残りの透析液が第３の回路８０を通じて透析器１０の二次側１０ｂに供給される。透析器１０において、透析液には、一次側１０ａの患者の血液から膜を通過した老廃物が取り込まれる。その後、透析器１０を通過した透析廃液は、第４の回路８１を通じて定量容器１３の第２の室５１に流入する（第３の工程）。この際、隔壁５２が移動して、第１の室５０の容積が減少した分、第２の室５１の容積が増大するので、第１の室５０から透析器１０側に押し出された透析液と、第２の室５１に入り込む透析廃液の量が一致する。
【００４３】
その後、上述のように第１の工程、第２の工程、第３の工程が順次繰り返し行われる。また、第２の工程においては、第２の貯留室１４ｂ側に透析液が供給される第１の場合と第１の貯留室１４ａ側に透析液が供給される第２の場合が交互に行われる。
【００４４】
以上の実施の形態によれば、定量容器１３の隔壁５２を第１の室５０側に変位させ、第１の室５０から押し出された透析液を貯留容器１４に貯留するとともに、そのとき第２の室５１に生じる陰圧により、透析器１０の血液中の水分を第２の室５１に排出することができる。これにより、第１の室５０から貯留容器１４に送り出した透析液の量（貯留容器１４の貯留室の容積）と同量の血液の水分を第２の室５１に排出できるので、より簡単な機構及び制御で血液からの除水量を高精度に制御できる。また、隔壁５２の第１の室５０側への変位により、第３の回路８０を通じて第１の室５０から透析器１０に透析液を供給し、第４の回路８１を通じて透析器１０から第２の室５１に透析廃液を排出できるので、血液透析も適正に行うことができる。
【００４５】
定量容器１３は、隔壁５２が第２の室５１側に変位したときに隔壁５２に第１の室５０側への復元力を与えるばね５３を有しているので、定量容器１３の隔壁５２の変位を復元力により行うことができる。このため、例えば給電の必要な駆動源が必要なく、装置構成や制御を簡略化できる。
【００４６】
貯留容器１４が、内部を２つの貯留室１４ａ、１４ｂに隔て変位可能な隔壁６０を有し、透析液貯留回路１７は、第１の室５０の透析液を貯留容器１４の各貯留室１４ａ、１４ｂに選択的に供給可能で、なおかつ各貯留室１４ａ、１４ｂの透析液を選択的に排出可能に構成されている。これにより、貯留容器１４の２つの貯留室１４ａ、１４ｂに交互に透析液を供給し、一方の貯留室に透析液を供給したときに他方の貯留室の透析液を排出できるので、貯留容器１４への透析液の供給を連続的に行うことができる。よって、血液からの除水を連続的に行うことができ、除水を効率的に行うことができる。
【００４７】
透析液貯留回路１７が、各貯留室１４ａ、１４ｂの透析液を透析液交換回路１５の第２の回路７２に排出可能に構成されているので、貯留容器１４の透析液を排出するための回路を簡略化できる。なお、透析液貯留回路１７は、各貯留室１４ａ、１４ｂの透析液を透析液供給源７０に排出可能に構成されていてもよい。
【００４８】
上記実施の形態では、制御装置１８が、透析液交換回路１５を通じて定量容器１３の第１の室５０に透析液を供給して、定量容器１３の隔壁５２を第２の室５１側に変位させるとともに、透析液交換回路１５を通じて定量容器１３の第２の室５１の透析廃液を排出する第１の工程と、血液が透析器１０の一次側１０ａに供給されている状態で、定量容器１３の隔壁５２を第１の室５０側に変位させて、第１の室５０の透析液の一部を透析液貯留回路１７を通じて貯留容器１４に供給するとともに、隔壁５２の第１の室５０側への変位により生じた第２の室５１の陰圧により、透析液供給回路１６を通じて透析器１０の二次側１０ｂから第２の室５０に血液の水分を排出する第２の工程と、前記隔壁５２の第１の室５０側への変位により、第１の室５０の残りの透析液を透析液供給回路１６を通じて透析器１０の二次側１０ｂに供給するとともに、当該透析器１０の二次側１０ｂから第２の室５１に透析廃液を排出する第３の工程と、を順次繰り返し実行している。これにより、除水量を高精度に制御しながら、透析と除水を効率的に行うことがきる。なお、第１の工程は、血液が透析器１０の一次側１０ａを通過している状態で行われてもよいし、通過していない状態で行われてもよい。
【００４９】
また、上記実施の形態において、制御装置１８は、第２の工程の後に第３の工程を実行していたが、第２の工程と第３の工程の一部を同時に実行してもよい。例えば図８に示すように、新しい透析液が定量容器１３の第１の室５０内に充填された後、開閉弁７４、７５が閉鎖され、開閉弁１０１、１１０、８３に加えて開閉弁８２が開放される。そして、定量容器１３のばね５３の復元力により隔壁５２が第１の室５０側に移動し、第１の室５０内の定量の透析液が押し出され、当該透析液の一部が第５の回路９０を通じて貯留容器１４の例えば第２の貯留室１４ｂに供給され、残りの透析液が、第３の回路８０を通じて透析器１０の二次側１０ｂに供給される。透析器１０の二次側１０ｂに供給された透析液は、血液からの老廃物が取り込んで、透析廃液となって第４の回路８１を通じて第２の室５１に戻される。
【００５０】
この際、隔壁５２が第１の室５０側に移動したことによって押し出された透析液の一部が第２の貯留室１４ｂに貯留されるため、その分透析器１０への透析液の供給量が減り、第２の室５１に陰圧が生じる。このときの第２の室５１の陰圧により、透析器１０の一次側１０ａの血液中の水分が二次側１０ｂに流入し、当該水分が第４の回路８１を通じて第２の室５１に排出される。つまり、定量容器１３の第１の室５０から排出された透析液の全体量と第２の室５１に戻された透析廃液の量との差分の血中の水分が第２の室５１に排出される。こうして、血液から所定量の水分が除去される。第２の貯留室１４ｂが透析液で満たされると、開閉弁１０１が閉鎖され、その後、隔壁５２の第１の室５０側への移動が終了すると、開閉弁８２及び開閉弁８３が閉鎖される。
【００５１】
かかる例においても、除水量を高精度に制御しながら、透析と除水を効率的に行うことがきる。
【００５２】
なお、上記例では、第２の工程の後に第３の工程を行ったり、第２の工程と第３の工程を同時に開始したりしていたが、第２の工程、第３の工程の少なくともいずれかと、第１の工程とが交互に行われればよい。例えば第２の工程と第３の工程との間の開始タイミング、終了タイミングは、上記例以外の他のタイミングであってもよい。また、第３の工程が行われている間に、第２の工程が開始され終了してもよいし、第２の工程が行われている間に、第３の工程が開始され終了してもよい。
【００５３】
また、上記実施の形態において、第１の工程と、第２及び第３の工程との繰り返しにおいて、第２の工程を実行せず、第１の工程と第３の工程を交互に実行する場合があってもよい。かかる場合、第１の工程において、第１の回路７１を通じて定量容器１３の第１の室５０に透析液を供給して、定量容器１３の隔壁５２を第２の室５１側に変位させ、第２の回路７２を通じて第２の室５１の透析液や血中の水分を排出する。次に第３の工程において、血液が透析器１０の一次側１０ａを通過している状態で、隔壁５２を第１の室５０側に変位させて、第１の室５０の透析液を押し出して透析器１０の二次側１０ｂに供給するとともに、透析器１０を通過した透析液を第２の室５１に排出する。この第１の工程と第３の工程を順次繰り返し、この繰り返しの例えば所定回数に一度第２の工程が実行され、血液中の水分が除去される。こうすることにより、除水量をより厳密に調整できる。
【００５４】
以上の実施の形態は、本発明を血液透析装置１に適用したものであったが、別の観点による本発明は、血液の水分を除去する水分除去システムであってもよい。かかる場合、水分除去システムは、上記実施の形態で記載した血液透析装置のように透析を行う機能を有していてもよいし、次に示すように除水のみを行うためのものであってもよい。例えば図９に示すように水分除去システム１６０は、血液が通過するとともに当該血液から水分を分離する分離器１０と、内部を第１の室と第２の室に隔て変位可能な隔壁を有する定量容器１３と、所定の液体を貯留する貯留容器１４と、定量容器１３の第１の室５０に液体を供給する第１の回路７１と、定量容器１３の第２の室５１の血液の水分を排出する第２の回路７２と、定量容器１３の第１の室５０の液体を貯留容器１４に供給する第３の回路９０と、血液の水分を分離器１０から第２の室５１に排出する第４の回路８１と、を有している。定量容器１３は、隔壁５２を第１の室５０側に変位させて、当該第１の室５０から液体を押し出し第３の回路９０を通じて貯留容器１４に貯留でき、隔壁５２の第１の室５０側への変位により生じる第２の室５１の陰圧により、第４の回路８１を通じて分離器１０から第２の室５１に水分を排出できるように構成されている。なお、当該水分除去システム１６０は、上記血液透析装置１とほぼ同様の構成を有するので、血液透析装置１と同じ構成の部材については同じ符号を用いて説明を省略する。
【００５５】
水分除去システム１６０を用いた除水処理は、制御装置１８を作動して実行される。例えば、図９に示すように開閉弁７４、７５が開放され、開閉弁１００、１０１、１１０、１１１、８３が閉鎖されて、第１の回路７１を通じて定量容器１３の第１の室５０に所定の液体としての透析液が供給され、定量容器１３の隔壁５２が第２の室５１側に変位するとともに、第２の回路７２を通じて第２の室５１の既存の血中の水分が外部に排出される（第１の工程）。このとき、定量容器１３のばね５３が縮められる。次に、図１０に示すように開閉弁７４、７５が閉鎖され、開閉弁１０１、１１０、８３が開放されて、血液が分離器１０の一次側１０ａを通過している状態で、ばね５３の復元力により、定量容器１３の隔壁５２が第１の室５０側に変位し、第１の室５０の透析液が押し出され第３の回路９０を通じて貯留容器１４の第２の貯留室１４ｂに貯留される。このとき、隔壁６０が移動し、第１の貯留室１４ａの既存の透析液が第６の回路９１を通じて排出される（第１の場合）。また、定量容器１３の隔壁５２が第１の室５０側に変位したときに第２の室５１に生じる陰圧により、第４の回路８１を通じて分離器１０から第２の室５１に血液の水分が排出される（第２の工程）。このときの除水量は、定量容器１３の隔壁５２が移動して第２の室５１で増大した容積分の量であり、これは、第１の室５０で減少した容積分の量、つまり貯留容器１４の第２の貯留室１４ｂに供給された透析液の量（第２の貯留室１４ｂの最大容積分の量）と同じになる。
【００５６】
次に、図１１に示すように再び開閉弁７４、７５が開放され、開閉弁１０１、１１０、８３が閉鎖されて、第１の回路７１を通じて定量容器１３の第１の室５０に透析液が供給され、定量容器１３の隔壁５２が第２の室５１側に変位するとともに、第２の回路７２を通じて第２の室５１の水分が外部に排出される（第１の工程）。次に、図１２に示すように開閉弁７４、７５が閉鎖され、開閉弁１００、１１１、８３が開放されて、血液が分離器１０の一次側１０ａを通過している状態で、ばね５３の復元力により、定量容器１３の隔壁５２が第１の室５０側に変位し、第１の室５０の透析液が押し出され第３の回路９０を通じて貯留容器１４の第１の貯留室１４ａに貯留される。このとき、隔壁６０が移動し、第２の貯留室１４ｂの透析液が第６の回路９１を通じて排出される（第２の場合）。また、定量容器１３の隔壁５２が第１の室５０側に変位したときに第２の室５１に生じる陰圧により、第４の回路８１を通じて分離器１０から第２の室５１に血液の水分が排出される（第２の工程）。その後、以上のように第１の工程と第２の工程が交互に実行される。第２の工程においては、第１の場合と第２の場合が交互に実行される。
【００５７】
本実施の形態によれば、第１の室５０から貯留容器１４に送り出した透析液の量（貯留容器１４の貯留室１４ａ、１４ｂの容積）と同量の血液の水分を第２の室５１に排出できるので、より簡単な機構及び制御で血液からの除水量を高精度に制御できる。また、貯留容器１４の２つの貯留室１４ａ、１４ｂに交互に透析液を供給し、一方の貯留室に透析液を供給したときに他方の貯留室の透析液を排出できるので、貯留容器１４への透析液の供給を連続的に行うことができる。よって、血液からの除水を連続的に行うことができ、除水を効率的に行うことができる。
【００５８】
なお、本実施の形態において、定量容器１３の第１の室５０や貯留容器１４に供給される液体が透析液であったが、生理食塩水、水などの他の液体であってもよい。
【００５９】
例えば以上の実施の形態において、定量容器１３の隔壁５２は、ばね５３により復元力を発生させていたが、隔壁５２を、弾性を有するダイアフラムで構成するなど他の復元力付与装置を用いて復元力を発生させてもよい。また、復元力を用いずに、他の駆動源により隔壁５２を駆動させてもよい。また、隔壁５２は、ピストン状のものに限られず、ダイアフラムのような膜状のものなど他の構成のものであってもよい。
【００６０】
以上に記載の血液透析装置１は、定量容器１３と、貯留容器１４と、透析液交換回路１５の少なくとも一部と、透析液供給回路１６の少なくとも一部と、透析液貯留回路１７の少なくとも一部が、装置本体部に対して着脱自在に構成されたカセット部に形成されていてもよい。また、血液透析装置１は、脱血側回路１１の少なくとも一部と、返血側回路１２の少なくとも一部が、装置本体部に対して着脱自在に構成されたカセット部に形成されていてもよい。
【００６１】
以下、図面を参照して、かかる場合の一例について説明する。図１３及び図１４は、本実施の形態に係る血液透析装置１の構成の概略を示す斜視図である。
【００６２】
血液透析装置１は、例えば装置本体部１３０に対し着脱可能に設けられた複数、例えば３つのカセット部１４０、１４１、１４２を有している。図１４に示すように第１のカセット部１４０と第２のカセット部１４１は、例えば略直方体形状に形成されている。例えば装置本体部１３０の背面側には、上下に並べられた２つのカセット収納部１３０ａ、１３０ｂが設けられ、それらのカセット収納部１３０ａ、１３０ｂに第１のカセット部１４０、第２のカセット部１４１を収納して装置本体部１３０に取り付けることができる。カセット収納部１３０ａ、１３０ｂには、内部を密閉可能な開閉自在な扉１３０ｃ、１３０ｄが設けられている。なお、装置本体部１３０には、透析液原液タンクＡ、Ｂ（図１３に示す）や希釈液タンクＣ（図１４に示す）が搭載されている。これらの透析液原液タンクＡ、Ｂ及び希釈液タンクＣは、例えば透析液供給源７０に属している。
【００６３】
図１３に示すように第３のカセット部１４２は、例えば板状に形成され、例えば装置本体部１３０の前面に着脱自在に構成されている。
【００６４】
例えば図１５に示すように第１のカセット部１４０には、定量容器１３と、貯留容器１４と、透析液交換回路１５のうちの透析液供給源７０、ポンプ７３以外の部分と、透析液供給回路１６と、透析液貯留回路１７が形成されている。
【００６５】
第２のカセット部１４１には、透析液交換回路１５のうちの透析液供給源７０及びポンプ７３のある部分が形成されている。例えば第１のカセット部１４０や第２のカセット部１４１は、ＤＳＩ（Ｄｉｅ  Ｓｌｉｄｅ  Ｉｎｊｅｃｔｉｏｎ  Ｍｏｌｄｉｎｇ）成型を用いて、内部や表面に容器１３、１４や回路１５，１６、１７が成形されている。
【００６６】
第３のカセット部１４２には、脱血側回路１１と、返血側回路１２が形成されている。透析器１０は、第３のカセット部１４２に対し着脱できる。
【００６７】
かかる血液透析装置１のメンテナンス時には、例えば必要に応じてカセット部１４０〜１４２が装置本体部１３０から取り外され、新しいカセット部１４０〜１４２に取り換えられる。
【００６８】
本実施の形態によれば、カセット部１４０〜１４２を装置本体部１３０から取り外し、カセット部１４０〜１４２毎に新しいものに取り換えて、血液透析装置１のメンテナンスを行うことができる。このため、専門的な知識や技術、経験をもたない者であっても、血液透析装置１のメンテナンスを容易に行うことができる。また、メンテナンスの質も確保される。この結果、患者の自宅や過疎地域などでも血液透析装置１を用いた継続的な血液透析処理を行うことができ、患者のＱＯＬを向上できる。
【００６９】
なお、この実施の形態において、血液透析装置１に３つのカセット部１４０〜１４２が設けられていたが、その数は任意に選択できる。例えば第１のカセット部１４０と第２のカセット部１４１の各種容器や回路は一つのカセット部に形成されていてもよい。
【００７０】
前記実施の形態において、定量容器１３と貯留容器１４に液体を給排するためのバルブ、例えば開閉弁７４、７５、８２、８３、１００、１０１、１１０、１１１（以下、まとめて「開閉弁Ｖ」とする。）のうち、液体に接触する部分がカセット部に形成され、液体に接触しない部分が装置本体部に形成されていてもよい。
【００７１】
かかる場合、開閉弁Ｖは、液体に接触する部分と、液体に接触しない部分に分離できるように構成されている。例えば開閉弁Ｖは、図１６に示すように液体に接触して動く変形膜１５０と、液体に接触せずに変形膜１５０を動かす押圧部材１５１を有している。変形膜１５０は、例えば各回路の流路内に露出する可撓性のあるもの（ダイアフラム）であり、押圧部材１５１は、例えば変形膜１５０を外側から押圧して各回路の流路を開閉可能な、例えば電磁作用で可動するソレノイド等からなるものである。液体に接する変形膜１５０は、第１のカセット部１４０側に設けられ、液体に接しない押圧部材１５１は、装置本体部１３０側に設けられている。図１６（Ａ）は、変形膜１５０が下がって開閉弁Ｖが開放された状態を示し、図１６（Ｂ）は、変形膜１５０が上がって開閉弁Ｖが閉鎖された状態を示す。
【００７２】
押圧部材１５１は、例えば装置本体部１３０のカセット収納部１３０ａの表面に露出して設けられており、変形膜１５０は、第１のカセット１４０の表面に露出して設けられている。第１のカセット部１４０をカセット収納部１３０ａに収納すると、装置本体部１３０側の押圧部材１５１と第１のカセット部１４０側の変形膜１５０が合わさって開閉弁Ｖが形成されるようになっている。
【００７３】
かかる実施の形態によれば、開閉弁Ｖの液体に接触する部分が、第１のカセット部１４０側に設けられ、液体に接触しない部分が装置本体部１３０側に設けられるので、例えば汚れや劣化が進みやすい部分をカセット部１４０と共に交換でき、汚れや劣化が進みにくい部分あるいは高価な部分を装置本体部１３０に残すことができる。よって、メンテナンスを効果的に行うことができ、例えば血液透析装置１の維持にかかるコストを低減できる。
【００７４】
なお、開閉弁Ｖの構造はこれに限られず、他の構造を有するものであってもよい。
【００７５】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【産業上の利用可能性】
【００７６】
本発明は、簡単な制御及び機構で血液からの除水量を高精度に制御する際に有用である。
【符号の説明】
【００７７】
１  血液透析装置
１０  透析器
１１  脱血側回路
１２  返血側回路
１３  定量容器
１４  貯留容器
１４ａ  第１の貯留室
１４ｂ  第２の貯留室
１５  透析液交換回路
１６  透析液供給回路
１７  透析液貯留回路
１８  制御装置
３０、３１  針部
５０  第１の室
５１  第２の室
５２  隔壁
５３  ばね
６０  隔壁
７０  透析液供給源
７１  第１の回路
７２  第２の回路
７３  ポンプ
７４  ７５  開閉弁
８０  第３の回路
８１  第４の回路
８２、８３  開閉弁
９０  第５の回路
９１  第６の回路
１００、１０１  開閉弁
１１０、１１１  開閉弁
１３０  装置本体部
１４０〜１４２  カセット部
【図１】
2011049196.tif 000003
【図２】
2011049196.tif 000004
【図３】
2011049196.tif 000005
【図４】
2011049196.tif 000006
【図５】
2011049196.tif 000007
【図６】
2011049196.tif 000008
【図７】
2011049196.tif 000009
【図８】
2011049196.tif 000010
【図９】
2011049196.tif 000011
【図１０】
2011049196.tif 000012
【図１１】
2011049196.tif 000013
【図１２】
2011049196.tif 000014
【図１３】
2011049196.tif 000015
【図１４】
2011049196.tif 000016
【図１５】
2011049196.tif 000017
【図１６】
2011049196.tif 000018
【国際調査報告】
2011049196.tif 000019
2011049196.tif 000020
2011049196.tif 000021
2011049196.tif 000022
2011049196.tif 000023
2011049196.tif 000024
2011049196.tif 000025